【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
印刷ドラム上の使用済みのマスタを剥離し排版する排版動作と、原稿の画像信号に応じてマスタを製版する製版動作とを含む印刷方法において、
上記排版動作の途中で、上記印刷ドラムが上記製版動作により作製された製版済みのマスタの先端部を上記印刷ドラムに係止する給版待機状態を占めた時点で、上記排版動作を一時中断し、上記製版済みのマスタの先端部が上記印刷ドラムに係止された後、上記製版済みのマスタを上記印刷ドラムの外周面に巻装する給版動作を行いながら、再度上記排版動作を行い、上記給版動作終了後に、上記印刷ドラム上の上記製版済みのマスタにインキを供給して印刷画像を印刷用紙上に形成する印刷動作を行うことを特徴とする印刷方法。
【請求項２】
印刷ドラム上の使用済みのマスタを剥離し排版する排版動作と、原稿の画像信号に応じてマスタを製版する製版動作とを含む印刷方法において、
上記排版動作終了後に、上記製版動作により作製された製版済みのマスタを上記印刷ドラムの外周面に巻装する給版動作を行いながら、上記印刷ドラム上の上記製版済みのマスタにインキを供給して印刷画像を印刷用紙上に形成する印刷動作を行うことを特徴とする印刷方法。
【請求項３】
印刷ドラム上の使用済みのマスタを剥離し排版する排版動作と、原稿の画像信号に応じてマスタを製版する製版動作とを含む印刷方法において、
上記排版動作の途中で、上記印刷ドラムが上記製版動作により作製された製版済みのマスタの先端部を上記印刷ドラムに係止する給版待機状態を占めた時点で、上記排版動作を一時中断し、上記製版済みのマスタの先端部が上記印刷ドラムに係止された後、上記製版済みのマスタを上記印刷ドラムの外周面に巻装する給版動作を行いながら、再度上記排版動作を行うと同時に、上記印刷ドラム上の上記製版済みのマスタにインキを供給して印刷画像を印刷用紙上に形成する印刷動作を行うことを特徴とする印刷方法。
【請求項４】
請求項１，２または３記載の印刷方法において、
上記製版動作中に上記給版動作を行うことを特徴とする印刷方法。
【請求項５】
請求項１ないし４の何れか一つに記載の印刷方法において、
上記製版動作中に、上記印刷用紙を、上記印刷ドラム上の製版済みのマスタに同期をとって上記印刷用紙を給送する用紙搬送同期手段まで予め給送しておくことを特徴とする印刷方法。
【請求項６】
請求項１ないし５の何れか一つに記載の印刷方法を使用することを特徴とする印刷装置。
【請求項７】
請求項６記載の印刷装置において、
上記排版動作を行う排版部と、上記製版動作を行う製版部とを具備し、
上記排版部を、上記製版部における上記印刷ドラムの回転方向の上流側に上記製版部に近接して設けたことを特徴とする印刷装置。
【請求項８】
印刷ドラム上の使用済みのマスタを剥離し排版する排版動作を行う排版部と、原稿の画像信号に応じてマスタを製版する製版動作を行う製版部と、該製版動作により作製された製版済みのマスタを外周面に巻装する給版動作を行う印刷ドラムを備え該印刷ドラム上の上記製版済みのマスタにインキを供給して印刷画像を印刷用紙上に形成する印刷動作を行う印刷部と、上記製版済みのマスタの先端部を上記印刷ドラムに係止する上記印刷ドラムの給版位置を検知する給版位置検知センサと、上記印刷ドラムのホームポジションを検知するホームポジション検知センサとを具備する印刷装置において、
上記給版位置検知センサおよび上記ホームポジション検知センサからの信号に基づいて、上記排版動作の途中で、上記印刷ドラムが上記給版位置を占めた時点で、上記排版動作を一時中断し、上記製版済みのマスタの先端部が上記印刷ドラムに係止された後、上記給版動作を行いながら再度上記排版動作を行い、上記給版動作終了後に上記印刷動作を行うように、上記排版部、上記製版部および上記印刷部の各駆動部を制御する制御手段を有することを特徴とする印刷装置。
【請求項９】
印刷ドラム上の使用済みのマスタを剥離し排版する排版動作を行う排版部と、原稿の画像信号に応じてマスタを製版する製版動作を行う製版部と、該製版動作により作製された製版済みのマスタを外周面に巻装する給版動作を行う印刷ドラムを備え該印刷ドラム上の上記製版済みのマスタにインキを供給して印刷画像を印刷用紙上に形成する印刷動作を行う印刷部と、上記製版済みのマスタの先端部を上記印刷ドラムに係止する上記印刷ドラムの給版位置を検知する給版位置検知センサと、上記印刷ドラムのホームポジションを検知するホームポジション検知センサとを具備する印刷装置において、
上記給版位置検知センサおよび上記ホームポジション検知センサからの信号に基づいて、上記排版動作終了後に、上記給版動作を行いながら上記印刷動作を行うように、上記排版部、上記製版部および上記印刷部の各駆動部を制御する制御手段を有することを特徴とする印刷装置。
【請求項１０】
印刷ドラム上の使用済みのマスタを剥離し排版する排版動作を行う排版部と、原稿の画像信号に応じてマスタを製版する製版動作を行う製版部と、該製版動作により作製された製版済みのマスタを外周面に巻装する給版動作を行う印刷ドラムを備え該印刷ドラム上の上記製版済みのマスタにインキを供給して印刷画像を印刷用紙上に形成する印刷動作を行う印刷部と、上記製版済みのマスタの先端部を上記印刷ドラムに係止する上記印刷ドラムの給版位置を検知する給版位置検知センサと、上記印刷ドラムのホームポジションを検知するホームポジション検知センサとを具備する印刷装置において、
上記給版位置検知センサおよび上記ホームポジション検知センサからの信号に基づいて、上記排版動作の途中で、上記印刷ドラムが上記給版位置を占めた時点で、上記排版動作を一時中断し、上記製版済みのマスタの先端部が上記印刷ドラムに係止された後、上記給版動作を行いながら、再度上記排版動作を行うと同時に、上記印刷動作を行うように、上記排版部、上記製版部および上記印刷部の各駆動部を制御する制御手段を有することを特徴とする印刷装置。
【請求項１１】
請求項８，９または１０記載の印刷装置において、
上記製版動作中に上記給版動作を行うように、上記製版部および上記印刷部の各駆動部を制御する制御手段を有することを特徴とする印刷装置。
【請求項１２】
請求項８ないし１１の何れか一つに記載の印刷装置において、
印刷用紙を上記印刷部へ送出する給紙部と、
上記給紙部に設けられ上記印刷ドラム上の製版済みのマスタに同期をとって上記印刷用紙を給送する用紙搬送同期手段と、
上記製版動作中に、上記印刷用紙を上記用紙搬送同期手段まで予め給送しておくように上記給紙部の駆動部を制御する制御手段とを有することを特徴とする印刷装置。
【請求項１３】
請求項８ないし１２の何れか一つに記載の印刷装置において、
上記排版部を、上記製版部における上記印刷ドラムの回転方向の上流側に上記製版部に近接して設けたことを特徴とする印刷装置。
【手続補正２】
【補正対象書類名】明細書
【補正対象項目名】００２７
【補正方法】変更
【補正の内容】
【００２７】
給紙部４０における給紙モータ４２Ｍ、レジストモータ４４Ｍおよび上記昇降モータ等の各制御対象駆動部分をまとめて、図２のブロック図にのみ符号４６で示す給紙駆動部とする。


【手続補正３】
【補正対象書類名】明細書
【補正対象項目名】００６２
【補正方法】変更
【補正の内容】
【００６２】
請求項６記載の発明は、請求項１ないし５の何れか一つに記載の印刷方法を使用することを特徴とする印刷装置である。


【手続補正４】
【補正対象書類名】明細書
【補正対象項目名】００６３
【補正方法】変更
【補正の内容】
【００６３】
請求項７記載の発明は、請求項６記載の印刷装置において、上記排版動作を行う排版部と、上記製版動作を行う製版部とを具備し、上記排版部を、上記製版部における上記印刷ドラムの回転方向の上流側に上記製版部に近接して設けたことを特徴とする。
請求項８記載の発明は、印刷ドラム上の使用済みのマスタを剥離し排版する排版動作を行う排版部と、原稿の画像信号に応じてマスタを製版する製版動作を行う製版部と、該製版動作により作製された製版済みのマスタを外周面に巻装する給版動作を行う印刷ドラムを備え該印刷ドラム上の上記製版済みのマスタにインキを供給して印刷画像を印刷用紙上に形成する印刷動作を行う印刷部と、上記製版済みのマスタの先端部を上記印刷ドラムに係止する上記印刷ドラムの給版位置を検知する給版位置検知センサと、上記印刷ドラムのホームポジションを検知するホームポジション検知センサとを具備する印刷装置において、上記給版位置検知センサおよび上記ホームポジション検知センサからの信号に基づいて、上記排版動作の途中で、上記印刷ドラムが上記給版位置を占めた時点で、上記排版動作を一時中断し、上記製版済みのマスタの先端部が上記印刷ドラムに係止された後、上記給版動作を行いながら再度上記排版動作を行い、上記給版動作終了後に上記印刷動作を行うように、上記排版部、上記製版部および上記印刷部の各駆動部を制御する制御手段を有することを特徴とする。
請求項９記載の発明は、印刷ドラム上の使用済みのマスタを剥離し排版する排版動作を行う排版部と、原稿の画像信号に応じてマスタを製版する製版動作を行う製版部と、該製版動作により作製された製版済みのマスタを外周面に巻装する給版動作を行う印刷ドラムを備え該印刷ドラム上の上記製版済みのマスタにインキを供給して印刷画像を印刷用紙上に形成する印刷動作を行う印刷部と、上記製版済みのマスタの先端部を上記印刷ドラムに係止する上記印刷ドラムの給版位置を検知する給版位置検知センサと、上記印刷ドラムのホームポジションを検知するホームポジション検知センサとを具備する印刷装置において、上記給版位置検知センサおよび上記ホームポジション検知センサからの信号に基づいて、上記排版動作終了後に、上記給版動作を行いながら上記印刷動作を行うように、上記排版部、上記製版部および上記印刷部の各駆動部を制御する制御手段を有することを特徴とする。
請求項１０記載の発明は、印刷ドラム上の使用済みのマスタを剥離し排版する排版動作を行う排版部と、原稿の画像信号に応じてマスタを製版する製版動作を行う製版部と、該製版動作により作製された製版済みのマスタを外周面に巻装する給版動作を行う印刷ドラムを備え該印刷ドラム上の上記製版済みのマスタにインキを供給して印刷画像を印刷用紙上に形成する印刷動作を行う印刷部と、上記製版済みのマスタの先端部を上記印刷ドラムに係止する上記印刷ドラムの給版位置を検知する給版位置検知センサと、上記印刷ドラムのホームポジションを検知するホームポジション検知センサとを具備する印刷装置において、上記給版位置検知センサおよび上記ホームポジション検知センサからの信号に基づいて、上記排版動作の途中で、上記印刷ドラムが上記給版位置を占めた時点で、上記排版動作を一時中断し、上記製版済みのマスタの先端部が上記印刷ドラムに係止された後、上記給版動作を行いながら、再度上記排版動作を行うと同時に、上記印刷動作を行うように、上記排版部、上記製版部および上記印刷部の各駆動部を制御する制御手段を有することを特徴とする。
請求項１１記載の発明は、請求項８，９または１０記載の印刷装置において、上記製版動作中に上記給版動作を行うように、上記製版部および上記印刷部の各駆動部を制御する制御手段を有することを特徴とする。
請求項１２記載の発明は、請求項８ないし１１の何れか一つに記載の印刷装置において、印刷用紙を上記印刷部へ送出する給紙部と、上記給紙部に設けられ上記印刷ドラム上の製版済みのマスタに同期をとって上記印刷用紙を給送する用紙搬送同期手段と、上記製版動作中に、上記印刷用紙を上記用紙搬送同期手段まで予め給送しておくように上記給紙部の駆動部を制御する制御手段とを有することを特徴とする。
請求項１３記載の発明は、請求項８ないし１２の何れか一つに記載の印刷装置において、上記排版部を、上記製版部における上記印刷ドラムの回転方向の上流側に上記製版部に近接して設けたことを特徴とする。
【手続補正５】
【補正対象書類名】明細書
【補正対象項目名】０１２８
【補正方法】変更
【補正の内容】
【０１２８】
請求項４記載の発明によれば、上記各発明の構成に加えて、製版動作中に給版動作を行うことにより、より一層ＦＰＴを短縮することのできる印刷方法を提供することができる。


【手続補正６】
【補正対象書類名】明細書
【補正対象項目名】０１３０
【補正方法】変更
【補正の内容】
【０１３０】
請求項６記載の発明によれば、請求項１ないし５の何れか一つに記載の印刷方法を使用する印刷装置であることにより、制御装置等を除く従来の印刷装置の構成を変えることなく、さらにＦＰＴを短縮することのできる印刷装置を提供することができる。


【手続補正７】
【補正対象書類名】明細書
【補正対象項目名】０１３１
【補正方法】変更
【補正の内容】
【０１３１】
請求項７記載の発明によれば、排版動作を行う排版部と製版動作を行う製版部とを具備し、排版部を、製版部における印刷ドラムの回転方向の上流側に製版部に近接して設けたことにより、印刷ドラムの回転量をさらに減らして、より一層ＦＰＴを短縮することのできる印刷装置を提供することができる。
請求項８記載の発明によれば、制御手段は、給版位置検知センサおよびホームポジション検知センサからの信号に基づいて、排版動作の途中で、印刷ドラムが給版位置を占めた時点で、排版動作を一時中断し、製版済みのマスタの先端部が印刷ドラムに係止された後、給版動作を行いながら再度排版動作を行い、給版動作終了後に印刷動作を行うように、排版部、製版部および印刷部の各駆動部を制御するので、制御装置等を除く従来の印刷装置の構成を変えることなく、印刷ドラムの回転量を減らして、ＦＰＴを短縮することのできる印刷装置を提供することができる。
請求項９記載の発明によれば、制御手段は、給版位置検知センサおよびホームポジション検知センサからの信号に基づいて、排版動作終了後に、給版動作を行いながら印刷動作を行うように、排版部、製版部および印刷部の各駆動部を制御するので、制御装置等を除く従来の印刷装置の構成を変えることなく、ＦＰＴを短縮することのできる印刷装置を提供することができる。
請求項１０記載の発明によれば、制御手段は、給版位置検知センサおよびホームポジション検知センサからの信号に基づいて、排版動作の途中で、印刷ドラムが給版位置を占めた時点で、排版動作を一時中断し、製版済みのマスタの先端部が印刷ドラムに係止された後、給版動作を行いながら、再度排版動作を行うと同時に、印刷動作を行うように、排版部、製版部および印刷部の各駆動部を制御するので、制御装置等を除く従来の印刷装置の構成を変えることなく、さらにＦＰＴを短縮することのできる印刷装置を提供することができる。
請求項１１記載の発明によれば、請求項８，９または１０記載の発明の構成に加えて、制御手段は、製版動作中に給版動作を行うように、製版部および印刷部の各駆動部を制御するので、より一層ＦＰＴを短縮することのできる印刷装置を提供することができる。
請求項１２記載の発明によれば、制御手段は、製版動作中に、印刷用紙を用紙搬送同期手段まで予め給送しておくように給紙部の駆動部を制御するので、請求項８ないし１１の何れか一つに記載の発明の効果に加えて、印刷動作における給紙をする際のレジスト精度の向上および騒音の低減を図ることのできる印刷装置を提供することができる。
請求項１３記載の発明によれば、請求項８ないし１２の何れか一つに記載の発明の構成に加えて、排版部を、製版部における印刷ドラムの回転方向の上流側に製版部に近接して設けたので、印刷ドラムの回転量をさらに減らして、より一層ＦＰＴを短縮することのできる印刷装置を提供することができる。